(57)【要約】【課題】使用時には周枠体内に一定の収容空間を保持する一方、不使用時にはコンパクトに保管することのできる収納ボックスが望まれている。【解決手段】収納ボックス１は、右側板部１０、背板部１１、左側板部１２および前下板部１３が折り畳み自在に連結されて成り上面開口２１および前面上開口２２を有する周枠体３と、上面開口２１を蓋止する上蓋部６と、前面上開口２２を開閉自在に蓋止する前蓋部７と、を備えて成り、前蓋部７が上蓋部６の前辺に上下揺動自在に連結されているものであって、背板部１１と前下板部１３とがそれぞれ平面視で内方に二つ折り自在に構成され、底面部４は、折り畳み自在の可撓性シートで構成され、背板部１１および前下板部１３がいずれも一枚板状に開かれたときに展張した底面部４上の全面に載置されて周枠体３の形状を保持する保持板部８、を備えているものである。【選択図】図６
0003200269.tif 000002
【実用新案登録請求の範囲】
【請求項１】
右側板部、背板部、左側板部、および前下板部が折り畳み自在に連結されて成り上面開口および当該上面開口につながっている前面上開口を有する周枠体と、前記上面開口を蓋止する上蓋部と、前記前面上開口を開閉自在に蓋止する前蓋部と、を備えて成り、前記前蓋部が前記上蓋部の前辺に上下揺動自在に連結されている収納ボックスであって、
前記背板部と前記前下板部とが、それぞれ平面視で内方に二つ折り自在に構成され、
前記底面部は、折り畳み自在の可撓性シートで構成され、
前記背板部および前記前下板部がいずれも一枚板状に開かれたときに展張した前記底面部上の全面に載置されて前記周枠体の箱形形状を保持する保持板部、を備えていることを特徴とする収納ボックス。
【請求項２】
少なくとも、前記右側板部、前記背板部、前記左側板部、および前記前下板部が、中質繊維板製の芯板材と、前記芯板材の外面全体を被う布材と、から構成されていることを特徴とする請求項１に記載の収納ボックス。
【請求項３】
前記周枠体の上面開口の前端近傍位置における前記右側板部および前記左側板部の外側面に、第１係合部材がそれぞれ設けられ、
前記上蓋部における左右の側辺および背辺に、前記上蓋部から下方に延びる垂延部が設けられ、
前記周枠体の第１係合部材と対向する位置の前記垂延部に、前記第１係合部材に係脱自在に係止される第２係合部材がそれぞれ設けられていることを特徴とする請求項１または請求項２に記載の収納ボックス。
【請求項４】
前記上蓋部の上面に第３係合部材が設けられ、前記底面部の下面には前記第３係合部材に係脱自在に係止される第４係合部材が設けられていることを特徴とする請求項１から請求項３までのいずれか一項に記載の収納ボックス。
【請求項５】
前記右側板部と前記左側板部との外側面に、布材製の把手がそれぞれ設けられていることを特徴とする請求項１から請求項４までのいずれか一項に記載の収納ボックス。
【考案の詳細な説明】
【技術分野】
【０００１】
本考案は、使用時は一定の収納空間を有し、不使用時にはコンパクトになって保管することのできる収納ボックスに関するものである。
【背景技術】
【０００２】
従来、この種の収納ボックスとしては、例えば下記の特許文献１に開示されたものが知られている。この文献開示の収納ボックスは、右側板部、背板部、左側板部、前下板部および底板部が一体に連結されて成る収納本体と、収納本体の上面開口を蓋止する上蓋部と、前記上面開口とつながっている前面上開口を開閉自在に蓋止する前蓋部と、を備えて成り、前蓋部が上蓋部の前辺にヒンジ部材を介して上下揺動自在に連結されているものである。
【０００３】
前記の収納ボックスはほぼ全体がプラスチックで構成されており、上下に段積みされる上面とは異なる前面上部に、傾斜した出し入れ口が形成されている。その出し入れ口は前蓋部により開閉自在に蓋止されるようになっていて、前蓋部を開閉するだけで被収納物を簡単に出し入れできるようになっている。この収納ボックスに収容される被収納物としては、例えばタオルなどの家庭用品、おもちゃ、野菜などの生鮮食品といったものが知られている。
【先行技術文献】
【特許文献】
【０００４】
【特許文献１】登録実用新案第３１９３２２４号公報
【考案の概要】
【考案が解決しようとする課題】
【０００５】
ところで、上記した文献開示の収納ボックスは、使用時であれ不使用時であれ、周枠体内に常に一定の収納空間を有していて嵩張っているので、不使用時にコンパクトな形態にすることができないという不具合がある。そのために、運送時はあたかも空気を運ぶこととなって、運送料や保管料が実質的に高くつくという問題があり、通信販売には適していないものと考えられる。
【０００６】
本考案は、上記した従来の問題点に鑑みてなされたものであって、使用時には周枠体内に一定の収容空間を保持する一方、不使用時にはコンパクトにすることのできる収納ボックスの提供を目的とする。
【課題を解決するための手段】
【０００７】
上記目的を達成するために、本考案に係る収納ボックスは、右側板部、背板部、左側板部、および前下板部が折り畳み自在に連結されて成り上面開口および当該上面開口につながっている前面上開口を有する周枠体と、上面開口を蓋止する上蓋部と、前面上開口を開閉自在に蓋止する前蓋部と、を備えて成り、前蓋部が上蓋部の前辺に上下揺動自在に連結されている収納ボックスであって、背板部と前下板部とが、それぞれ平面視で内方に二つ折り自在に構成され、底面部は、折り畳み自在の可撓性シートで構成され、背板部および前下板部がいずれも一枚板状に開かれたときに展張した底面部上の全面に載置されて周枠体の箱形形状を保持する保持板部、を備えている構成にしてある。
【０００８】
また、前記構成において、少なくとも、右側板部、背板部、左側板部、および前下板部が、中質繊維板製の芯板材と、芯板材の外面全体を被う布材と、から構成されているものである。
【０００９】
そして、前記した各構成において、周枠体の上面開口の前端近傍位置における右側板部および左側板部の外側面に、第１係合部材がそれぞれ設けられ、上蓋部における左右の側辺および背辺に、上蓋部から下方に延びる垂延部が設けられ、周枠体の第１係合部材と対向する位置の垂延部に、第１係合部材に係脱自在に係止される第２係合部材がそれぞれ設けられているものである。
【００１０】
更に、前記した各構成において、上蓋部の上面に第３係合部材が設けられ、底面部の下面には第３係合部材に係脱自在に係止される第４係合部材が設けられているものである。
【００１１】
また、前記した各構成において、右側板部と左側板部との外側面に、布材製の把手がそれぞれ設けられているものである。
【考案の効果】
【００１２】
本考案に係る収納ボックスによれば、背板部と前下板部とが、それぞれ平面視で内方に二つ折り自在に構成され、底面部は、折り畳み自在の可撓性シートで構成されているので、使用しないときは、背板部と前下板部を内方に二つ折りすることにより、周枠体および底面部をコンパクトに折り畳んで保管することができる。一方、使用するときは、背板部および前下板部をいずれも一枚板状に開くと底面部が展張する。この展張した底面部上に保持板部を載置することにより、周枠体を箱形形状に保持して、周枠体内に一定の収容空間を確保することができる。
【００１３】
また、少なくとも、右側板部、背板部、左側板部、および前下板部が、中質繊維板製の芯板材と、芯板材を被う布材とから構成されているものでは、周枠体は剛性および機械強度の高い中質繊維板で主に構成されるので、周枠体が箱形形状に保持されたときに多量の被収納物を収容しても、周枠体が水平方向に膨らむことがなく、上下方向の荷重にも耐えることとなる。従って、複数の収納ボックスを上下段積みにして使用することができる。
【００１４】
そして、周枠体の右側板部および左側板部の外側面にそれぞれ設けられた第１係合部材と、上蓋部の垂延部にそれぞれ設けられた第２係合部材とを備えているものでは、第２係合部材を第１係合部材に係止させることにより、上蓋部は上面開口の前端近傍位置における右側板部および左側板部に固定されるので、前蓋部を開閉させるときに上蓋部における前蓋部との連結部近くが浮き沈みすることがなく安定化させることができ、前蓋部を円滑に上下揺動させて前面上開口を開閉することができる。その結果、周枠体内への被収納物の出し入れを円滑にすることができる。
【００１５】
更に、上蓋部上面の第３係合部材と底面部下面の第４係合部材を備えているものでは、或る収納ボックスの上蓋部の上面に、別の収納ボックスの底面部の下面を載せて段積みすると、別の収納ボックスの第４係合部材が或る収納ボックスの第３係合部材に係止される。従って、複数の収納ボックスを上下段積みしたときに外部から衝撃や力を受けた場合でも、上にある収納ボックスが転落することを確実に防ぐことができる。
【００１６】
また、右側板部と左側板部との外側面に布材製の把手がそれぞれ設けられているものでは、不使用時に周枠体が折り畳まれると、左右の把手も折り畳まれて右側板部と左側板部に密着するので、折り畳み時の周枠体の嵩張りを抑止できる。一方、使用時には、左右の把手を持って収納ボックスを容易に持ち運びすることができる。
【図面の簡単な説明】
【００１７】
【図１】本考案の一実施形態に係る収納ボックスを示す外観図である。
【図２】前記収納ボックスの前面上開口を開いた状態を示す外観図である。
【図３】側面から見た前記収納ボックスおよびその上に段積みを想像した態様を示す状態説明図である。
【図４】前記収納ボックスの前蓋部を反転させて上蓋部上に載せた状態を示す外観図である。
【図５】図４に示した収納ボックスの収納本体から蓋体を取り外すとともに上蓋部の垂延部を折り畳んだ状態を示す外観図である。
【図６】図５に示した収納ボックスの収納本体から保持板部を取り外すとともに上下反転されて展開された蓋体を示す外観図である。
【図７】前記収納ボックスの収納本体または蓋体を示す図であって、（ａ）は図５におけるＡ−Ａ線矢視断面図、（ｂ）は図５におけるＢ−Ｂ線矢視断面図、（ｃ）は図６におけるＣ−Ｃ線矢視断面図である。
【図８】それぞれ取り外されて折り畳まれた収納本体、保持板部および蓋体を示す平面図である。
【図９】前記の収納本体、保持板部および蓋体を重ねて積み上げた状態を示す平面図である。
【図１０】図９の積み上げ状態に対応した側面図である。
【考案を実施するための形態】
【００１８】
本考案の実施形態を図面に基づいて説明する。尚、以下に述べる実施形態は本考案を具体化した一例に過ぎず、本考案の技術的範囲を限定するものでない。図１は本考案の一実施形態に係る収納ボックスを示す外観図、図２は前記収納ボックスの前面上開口を開いた状態を示す外観図、図３は側面から見た前記収納ボックスおよびその上に段積みを想像した態様を示す状態説明図、図４は前記収納ボックスの前蓋部を反転させて上蓋部上に載せた状態を示す外観図、図５は図４に示した収納ボックスの収納本体から蓋体を取り外すとともに上蓋部の垂延部を折り畳んだ状態を示す外観図、図６は図５に示した収納ボックスの収納本体から保持板部を取り外すとともに上下反転されて展開された蓋体を示す外観図である。
各図において、この実施形態に係る収納ボックス１は、物品を収納する有底箱状の収納本体２と、収納本体２内の底部に載置されて収納本体２の形状を保持する保持板部８と、収納本体２の上面開口２１およびこの上面開口２１につながっている前面上開口２２を蓋止する蓋体５と、から構成されている。この収納ボックス１は、高さＨ（図３参照）が例えば約３２５ｍｍである。
【００１９】
前記の収納本体２は、平面視で略矩形筒状に形成された周枠体３と、周枠体３の下面開口の周縁部全周にわたって接合された底面部４と、から構成されている。
周枠体３は、右側板部１０、背板部１１、左側板部１２、および前下板部１３がそれぞれ縫目線２０で構成される折畳線２３，２４，２５，２６を介して折り畳み可能に連結されている。この周枠体３は、その上面に前記の上面開口２１と前面上開口２２とが形成されている。右側板部１０と左側板部１２は、側面視で五角形状に形成されている。
【００２０】
前記の背板部１１は、縫目線２０で構成される折畳線１８を挟んで前後揺動自在に左右に分割された分割背板部１４，１５から構成されている。すなわち、これらの分割背板部１４，１５は、折畳線１８を介して平面視で周枠体３の内向きに二つ折り自在に構成されている。
前記の前下板部１３も、縫目線２０で構成される折畳線１９を挟んで前後揺動自在に左右に分割された分割背板部１６，１７から構成されている。すなわち、これらの分割背板部１６，１７は、折畳線１９を介して平面視で周枠体３の内向きに二つ折り自在に構成されている。
【００２１】
周枠体３の右側板部１０、背板部１１、左側板部１２および前下板部１３は、例えば厚さ約３ｍｍで中質繊維板（通称ＭＤＦと称される）製の芯板材３５と、芯板材３５の外面全体を被った布材３６と、から構成されている。前記の中質繊維板は、木材をほぐし接着剤などを配合してボードに成型されたものであり、高い機械強度、硬くて均質な材質、高い表面平滑性を安定に備えている。前記の布材３６は、例えばポリエステル繊維製の織布で構成されている。
【００２２】
周枠体３の上面開口２１の前端近傍位置における右側板部１０および左側板部１２の外側面に、雄スナップ（第１係合部材の例）２９Ａ，２９Ｂがそれぞれ取り付けられている。一方、蓋体５を周枠体３の上面に設置した状態で、蓋体５の垂延部２７の内側面において周枠体３の雄スナップ２９Ａ，２９Ｂと対向する位置には、雄スナップ２９Ａ，２９Ｂと係脱自在に係止される雌スナップ（第２係合部材の例）３０Ａ，３０Ｂがそれぞれ取り付けられている。また、右側板部１０と左側板部１２との外側面には、布材製の把手３２Ａ，３２Ｂがそれぞれ縫着されている。
前記の底面部４は折り畳み自在の可撓性シートで構成されている。この可撓性シートとしては、例えばポリエステル製の織布に上面に軟質の合成樹脂層（例えばポリウレタン樹脂層）がコーティングされたものが挙げられる。斯かるコーティングによって、底面部４の折目が安定化するようになっている。
【００２３】
前記の蓋体５は、上面開口２１を蓋止する上蓋部６と、前面上開口２２を開閉自在に蓋止する前蓋部７と、を備えている。前蓋部７は、縫目線２０で構成されるヒンジ部３１を介して上蓋部６の前辺に上下揺動自在に連結されている。そして、上蓋部６における左右の側辺および背辺にわたって、上蓋部６から下方に延びる平面視でコの字状の垂延部２７が垂設されている。この垂延部２７は、不使用時に左右の折畳位置２８Ａ，２８Ｂで折り畳まれて上蓋部６の下面に密着する。上蓋部６、前蓋部７および垂延部２７は、いずれも厚さ約２ｍｍで厚紙製の芯板材３７で主に構成されるとともに、芯板材３７の外周面が布材３６で被われて形成されている（図７（ｃ）参照）。これら各板材の周縁部は縁布が縫着された縁縫部３８となっている（図３参照)。
上蓋部６の上面には、多数の鉤状体を片面に有するＡ面ファスナ（第３係合部材の例）３３，３３が縫着などにより取り付けられている。収納本体２の底面部４の下面には、Ａ面ファスナ３３と係脱自在に係止される多数のループ状体を片面に有するＢ面ファスナ（第４係合部材の例）が縫着などにより取り付けられている。
【００２４】
そして、前記の保持板部８は、例えば平面視矩形状で厚さ２ｍｍの厚紙の上面が布材３６で被われ、布材３６の布端は厚紙の四辺で織り込まれたのち端縫いで固着される。保持板部８の後辺には、指で掴むための摘み輪９が縫着されている。また、背板部１１の分割背板部１４，１５および前下板部１３の分割背板部１６，１７がいずれも開かれて一枚板状になったときに、底面部４は平らに展張するような形状および大きさに形成されている。このように展張した底面部４上の全面を被うように、保持板部８が嵌め込まれて載置される。これにより、周枠体３が矩形箱状の固定状態に保持される。
【００２５】
上記のように構成された収納ボックス１は、段積みされる上面（蓋体５の上蓋部６）とは異なる前面上部に、傾斜した前面上開口（出し入れ口）２２が形成されている。この前面上開口２２は、上蓋部６の前端部に枢支された前蓋部７により開閉自在に蓋止されるようになっているので、上下に複数の収納ボックス１，１，・・が段積みされた状態であっても、前蓋部７を開閉するだけで被収納物を収納本体２内に簡単に出し入れできるという利点がある。
この収納ボックス１では、それぞれ別個に折り畳まれた収納本体２、蓋体５および保持板部８が積み重ねられると、図９および図１０に示すように、収納ボックス１は厚さＴが例えば約５５ｍｍと比較的薄くなる。従って、収納ボックス１は通信販売などの商品として好適であり、大きな保管場所もとらない。
【００２６】
そこで、収納ボックス１の使用に際しては、図８に示すように、収納本体２、保持板部８および蓋体５が個々に分けて用意される。次に、図６に示すように、右側板部１０と左側板部１２が互いに左右に引き離される。そうして、背板部１１および前下板部１３がいずれも一枚板状となるまで開かれると、底面部４が平らに展張する。そして、図５に示すように、展張した底面部４上に保持板部８が嵌め置かれると、周枠体３が固定されて収納本体２が矩形箱形形状に保持される。引き続き、蓋体５の上蓋部６から垂延部２７が下向きに広げられたのち、図４に示すように、蓋体５の上蓋部６で収納本体２の上面開口２１が蓋止され、周枠体３の雄スナップ２９Ａ，２９Ｂに垂延部２７の雌スナップ３０Ａ，３０Ｂが係止される。更に、図４に示した状態から図２に示すように、前蓋部７が前向きに揺動されると、図１に示すように、収納本体２の前面上開口２２が前蓋部７により蓋止されるのである。
一方、収納ボックス１が長期間使用されないときは、図１、図２、図４、図５、図６、図８、図１０の順に示した態様のように、収納ボックス１は分解され、コンパクトに折り畳まれて保管される。
【００２７】
上記の収納ボックス１によれば、使用しないときは、周枠体３から蓋体５および保持板部８を取り外して背板部１１と前下板部１３を内方に二つ折りすることにより、周枠体３および底面部４をコンパクトに折り畳んで保管したり搬送したりできる。一方、使用するときは、背板部１１および前下板部１３を開いて展張した底面部４上に保持板部８を嵌め置きすることにより、周枠体３を矩形箱形形状に保持できる。
【００２８】
また、周枠体３の右側板部１０、背板部１１、左側板部１２、および前下板部１３が、剛性および機械強度の高い中質繊維板製の芯板材３５で主に構成されているので、箱形形状に保持されている収納本体２内に多量の被収納物を収容したとしても、周枠体３が水平方向に膨らむことがなく、上下方向の荷重にも耐えられる。従って、複数の収納ボックス１，１，１を上下段積みにして使用することも可能になる。
【００２９】
そして、周枠体３における右側板部１０および左側板部１２の雄スナップ２９Ａ，２９Ｂと、上蓋部６の垂延部２７の雌スナップ３０Ａ，３０Ｂとを備えているので、雌スナップ３０Ａ，３０Ｂを雄スナップ２９Ａ，２９Ｂに係止させることにより、上蓋部６を上面開口２１の前端近傍位置における右側板部１０および左側板部１２に固定することができる。これにより、前蓋部７を開閉させるときに、前蓋部７との連結部近くの上蓋部６が浮き沈みすることを防止でき安定化させることができる。従って、前蓋部７を円滑に上下揺動させて前面上開口２２を開閉することができ、周枠体３内への被収納物の出し入れを容易にすることが可能となる。
【００３０】
更に、上蓋部６上面のＡ面ファスナ３３と底面部４下面のＢ面ファスナ３４を備えているので、図３に示すように、実線で示した収納ボックス１の上蓋部６の上面に、１点鎖線で示した上側の収納ボックス１の底面部４の下面を載せて段積みしたとき、上側の収納ボックス１のＢ面ファスナ３４が下側の収納ボックス１のＡ面ファスナ３３に係止される。従って、図示のように３つの収納ボックス１，１，１を上下段積みして外部から衝撃や力を受けた場合でも、上に置かれた収納ボックス１が転落することを確実に防止できる。尚、この収納ボックス１は機械強度が比較的高いことに加えてＡ面ファスナ３３とＢ面ファスナ３４を備えているので、５段位までは無理なく段積みできる。
【００３１】
また、右側板部１０と左側板部１２の各外側面に布材製の把手３２Ａ，３２Ｂがそれぞれ設けられているので、不使用時に周枠体３が折り畳まれると、左右の把手３２Ａ，３２Ｂも折り畳んで右側板部１０および左側板部１２の外面に密着させることができる。従って、折り畳み時における周枠体３全体の嵩張りを抑止できる。一方、使用時には、左右の把手３２Ａ，３２Ｂを持って収納ボックス１を容易に持ち運びすることができる。
【００３２】
尚、上記の実施形態では、第１係合部材として雄スナップ２９Ａ，２９Ｂを用い、第２係合部材として雌スナップ３０Ａ，３０Ｂを用いた例を示したが、本考案はこれらに限定されない。例えば、第１係合部材として雌スナップを用い、第２係合部材として雄スナップを用いてよい。更には、スナップに替え、第１係合部材および第２係合部材として、鉤状体を有するＡ面ファスナおよびループ状体を有するＢ面ファスナを用いることも可能である。
【００３３】
そして、上記では、第３係合部材として鉤状体を有するＡ面ファスナ３３を用い、第４係合部材としてループ状体を有するＢ面ファスナ３４を用いた例を示したが、本考案はこれらに限定されない。例えば、第３係合部材としてＢ面ファスナを用い、第４係合部材としてＡ面ファスナを用いても構わない。
また、上記では、周枠体３の芯板材３５として中質繊維板を用いた例を示したが、中質繊維板に替えて、汎用の合板、プラスチック板、高剛性の厚紙板などを用いることも可能である。
更に、上記では、布材として、ポリエステル繊維製の織布を用いた例を示したが、他種類の繊維製の織布でも良く、あるいは織布に替え、編布や不織布を用いてもよい。
【符号の説明】
【００３４】
１    収納ボックス
２    収納本体
３    周枠体
４    底面部
５    蓋体
６    上蓋部
７    前蓋部
８    保持板部
１０  右側板部
１１  背板部
１２  左側板部
１３  前下板部
１４，１５  分割背板部
１６，１７  分割前板部
１８，１９  折畳線
２１  上面開口
２２  前面上開口
２７  垂延部
２８Ａ，２８Ｂ  折畳位置
２９Ａ，２９Ｂ  雄スナップ（第１係合部材）
３０Ａ，３０Ｂ  雌スナップ（第２係合部材）
３１  ヒンジ部
３２Ａ，３２Ｂ  把手
３３  Ａ面ファスナ（第３係合部材）
３４  Ｂ面ファスナ（第４係合部材）
３５，３７  芯板材
３６  布材
Ｔ    厚さ
【図１】
0003200269.tif 000003
【図２】
0003200269.tif 000004
【図３】
0003200269.tif 000005
【図４】
0003200269.tif 000006
【図５】
0003200269.tif 000007
【図６】
0003200269.tif 000008
【図７】
0003200269.tif 000009
【図８】
0003200269.tif 000010
【図９】
0003200269.tif 000011
【図１０】
0003200269.tif 000012
【手続補正書】
【提出日】平成27年8月6日(2015.8.6)
【手続補正１】
【補正対象書類名】実用新案登録請求の範囲
【補正対象項目名】請求項１
【補正方法】変更
【補正の内容】
【請求項１】
右側板部、背板部、左側板部、および前下板部が折り畳み自在に連結されて成り、下面開口、上面開口および当該上面開口につながっている前面上開口を有する周枠体と、前記周枠体の下面開口の周縁部全周にわたって接合された底面部と、前記上面開口を蓋止する上蓋部と、前記前面上開口を開閉自在に蓋止する前蓋部と、を備えて成り、前記前蓋部が前記上蓋部の前辺に上下揺動自在に連結されている収納ボックスであって、
前記背板部と前記前下板部とが、それぞれ平面視で内方に二つ折り自在に構成され、
前記底面部は、折り畳み自在の可撓性シートで構成され、
前記背板部および前記前下板部がいずれも一枚板状に開かれたときに展張した前記底面部上の全面に載置されて前記周枠体の箱形形状を保持する保持板部、を備えていることを特徴とする収納ボックス。
【手続補正２】
【補正対象書類名】明細書
【補正対象項目名】０００７
【補正方法】変更
【補正の内容】
【０００７】
上記目的を達成するために、本考案に係る収納ボックスは、右側板部、背板部、左側板部、および前下板部が折り畳み自在に連結されて成り、下面開口、上面開口および当該上面開口につながっている前面上開口を有する周枠体と、周枠体の下面開口の周縁部全周にわたって接合された底面部と、上面開口を蓋止する上蓋部と、前面上開口を開閉自在に蓋止する前蓋部と、を備えて成り、前蓋部が上蓋部の前辺に上下揺動自在に連結されている収納ボックスであって、背板部と前下板部とが、それぞれ平面視で内方に二つ折り自在に構成され、底面部は、折り畳み自在の可撓性シートで構成され、背板部および前下板部がいずれも一枚板状に開かれたときに展張した底面部上の全面に載置されて周枠体の箱形形状を保持する保持板部、を備えている構成にしてある。